(57)【要約】【課題】  本発明は、ケーブルや配管等の長尺体に沿って効率良く且つ正確な間隔で多数のデータキャリアを設置出来る新しいデータキャリア構造体、更には、そのデータキャリア構造体の効率的な製造方法、更には、前記データキャリア構造体の長尺体への設置構造を提供することを可能にすることを目的としている。【解決手段】  データキャリア６の両面に２枚の樹脂シート３をラミネート加工して得られた可撓性を有するデータキャリアユニット２が樹脂テープ４の長さ方向に沿って所定間隔で複数配置され、各データキャリアユニット２の樹脂シート３が樹脂テープ４にスポット溶着して固定されたことを特徴とする。【選択図】      図２
2005078400.tif 000002
【特許請求の範囲】
【請求項１】
アンテナコイルと制御部とを有するデータキャリアの両面に２枚の樹脂シートをラミネート加工して得られた可撓性を有するデータキャリアユニットが樹脂テープの長さ方向に沿って所定間隔で複数配置され、各データキャリアユニットの前記樹脂シートがそれぞれ前記樹脂テープにスポット溶着されていることを特徴とする可撓性を有するデータキャリア構造体。
【請求項２】
アンテナコイルと制御部とを有するデータキャリアの両面に２枚の樹脂シートをラミネート加工して可撓性を有するデータキャリアユニットを複数形成し、樹脂テープの長さ方向に沿って前記各データキャリアユニットを所定間隔で配置して各データキャリアユニットの前記樹脂シートをそれぞれ前記樹脂テープにスポット溶着することを特徴とする可撓性を有するデータキャリア構造体の製造方法。
【請求項３】
前記スポット溶着は、超音波溶着または高周波溶着であることを特徴とする請求項２に記載の可撓性を有するデータキャリア構造体の製造方法。
【請求項４】
長尺体に複数のデータキャリアが所定間隔で設置された構造において、前記長尺体に沿って請求項１に記載の可撓性を有するデータキャリア構造体が設置されていることを特徴とする長尺体のデータキャリア設置構造。
【請求項５】
前記長尺体がケーブルまたは配管であることを特徴とする請求項４に記載の長尺体のデータキャリア設置構造。
【発明の詳細な説明】
【技術分野】
【０００１】
本発明は、アンテナコイルと制御部とを有するデータキャリアを複数配列して形成したデータキャリア構造体とその製造方法及び長尺体へのデータキャリア設置構造に関するものである。
【背景技術】
【０００２】
従来、光ケーブルは複数の光（オプティカル）ファイバーを多数束ねた多芯の芯線束をシース層で更に束ね、その表面を樹脂等で保護した状態で敷設される。また通信用の多芯の電気ケーブルもほぼ同じように構成して敷設される。ケーブルを都市部に敷設する場合は通常地下にコンクリート製の暗渠を建設し、その中に敷設することが多い。
【０００３】
都市部におけるケーブルの敷設路は網の目のように張り巡らされ、各ビルや地下街に分岐される。このように複雑且つ大量に敷設されるケーブルのメンテナンスや損傷もしくは切断事故の回復工事を迅速に効率良く行うために、各ケーブルには整理番号が付され、その整理番号を基に接続関係もしくは行き先、内容等を速やかに把握出来るように情報管理がなされている。
【０００４】
そして現場においては、紙や樹脂製のシートに記載した整理番号をケーブルの外周面に貼り付けて管理する。一方、管理施設に設置されたコンピュータ装置の記憶装置には整理番号ごとにその接続先、芯線内容等が記憶される。更に記憶装置にはケーブルの設置年月日、メンテナンス履歴、接続先変更履歴等も記憶される。
【０００５】
地震等によりケーブル敷設路における特定場所に損傷事故が発生したときは、事故現場に駆けつけて整理番号を確認し、端末装置から通信回線を利用して管理施設のコンピュータ装置にアクセスし、整理番号の内容情報を受信してから適切な回復工事を施工する。しかし、ケーブルに整理番号を記載した紙や樹脂製のシートを貼り付けたり結びつけたりする方法は、シートの剥がれや離脱、または記載内容の消失等の恐れがあり、管理上の安定性もしくは信頼性が低いという問題がある。
【０００６】
一方、そのような心配のない情報記憶手段として、最近広く普及しつつあるデータキャリアが存在する。データキャリアは極めて小型に形成され、記憶部、ＣＰＵ（中央演算装置）、電源用コンデンサ、送受信部を含む制御部をＩＣチップで構成し、その制御部とアンテナコイルを接続し、全体を樹脂モールドして構成される。
【０００７】
そして送受信用アンテナコイルを有するリーダライタ機等の通信機器をデータキャリアに近づけることにより、それとの間で非接触による電磁波通信を行うことが出来、通信器機器から情報をデータキャリアの記憶部に書き込み、またはデータキャリアの記憶部に記憶されている情報を通信機器に読み出すことが出来る。
【０００８】
このようなデータキャリアにおいて、複数組みのデータキャリアとアモルファス磁性体シートとをシート材間に一体的にラミネート封止し、分割線により１つずつに分割し得るものが、例えば特許文献１（国際公開第０２／０５５３１５号パンフレット）に記載されている。
【０００９】
図４はデータキャリアの模式的構成図、図５は制御部のブロック図である。図４に示すデータキャリア６は、円形の空心コイルで構成されたアンテナコイル10と、その両端に接続したＩＣ回路で構成した制御部11を備えている。そして、アンテナコイル10が送受信を行う際には、アンテナコイル10の中心を貫通する磁束が発生し、その磁束によりリーダライタ機やリーダ機等の通信手段との間で通信を行う。
【００１０】
図５に示すように、制御部11はアンテナコイル10に接続した送受信部15と、該送受信部15に接続した電源用のコンデンサ16及びＣＰＵ（中央演算装置）17と、該ＣＰＵ17に接続した記憶部18を備え、コンデンサ16からの電源は送受信部15及びＣＰＵ17に供給される。
【００１１】
例えば、一般に使用されているリーダライタ機は制御部と送受信部を備え、送受信部には送受信用のアンテナコイルが設けられる。そして、そのアンテナコイルをデータキャリア６のアンテナコイル10に接近させた状態で電磁波通信により情報の書き込みや読み出しを行う。尚、データキャリア６を読み出し専用とする場合は、通信手段として簡単なリーダ機を使用することが出来る。
【００１２】
網目のように張り巡らされたケーブルを迅速且つ効率良く管理するには、ケーブル網のどの部分からでもケーブル情報を知る必要がある。そのためケーブル管理にデータキャリアを用いる場合には、そのデータキャリアをケーブルに沿って所定間隔で多数取り付けることが望ましい。ケーブルに沿って所定間隔で多数のデータキャリアを設置する技術は例えば特許文献２（特開２００３−２０３５２７号公報）に記載されている。
【００１３】
【特許文献１】国際公開第０２／０５５３１５号パンフレット
【特許文献２】特開２００３−２０３５２７号公報
【発明の開示】
【発明が解決しようとする課題】
【００１４】
しかしながら、前述の特許文献２に開示された技術ではケーブルに沿って多数のデータキャリア単体を個々に取り付けているので、それらの施工に膨大な手間と時間がかかるという問題がある。
【００１５】
またデータキャリアの設置間隔は出来るだけ一定にすることが望ましいが、足場や環境が悪い設置現場で且つ曲がりくねったり蛇行しているケーブルに対し正確に距離を測定して設置していくことは困難である。そのため設置間隔にバラツキを生じることは避けられないが、そのようにバラツキがある場合には極めて小型のデータキャリアを探すのに手間がかかり情報管理効率が著しく低下する。尚、都市部における上下水道やガス等の配管についても同様な問題があった。
【００１６】
本発明は前記課題を解決するものであり、その第１の目的は、ケーブルや配管等の長尺体に沿って効率良く且つ正確な間隔で多数のデータキャリアを設置出来る新しいデータキャリア構造体を提供することであり、更に第２の目的は、そのデータキャリア構造体の効率的な製造方法を提供することであり、更に第３の目的は、前記データキャリア構造体の長尺体への設置構造を提供せんとするものである。
【課題を解決するための手段】
【００１７】
前記目的を達成するための本発明に係る可撓性を有するデータキャリア構造体は、アンテナコイルと制御部とを有するデータキャリアの両面に２枚の樹脂シートをラミネート加工して得られた可撓性を有するデータキャリアユニットが樹脂テープの長さ方向に沿って所定間隔で複数配置され、各データキャリアユニットの前記樹脂シートがそれぞれ前記樹脂テープにスポット溶着されていることを特徴とする。
【００１８】
本発明は、上述の如く構成したので、可撓性を有する樹脂テープに沿って正確な間隔で多数のデータキャリアを配置することにより構成されているので、それを現場において長尺体に設置する場合の施工性が極めて良い。
【００１９】
また情報管理に適した間隔に正確に設置されるので長尺体の情報管理効率も向上する。更にこの可撓性を有するデータキャリア構造体を工場等の例えばケーブル製造現場でのケーブル保護層の内面（もしくはシース層の表面）に設置する場合は、製造の自動化工程に組み込み易いのでデータキャリアの設置に要する手間や時間を大幅に短縮出来る。
【００２０】
また本発明に係る可撓性を有するデータキャリア構造体は、各データキャリア及び全体が可撓性を有するので、例えばケーブルの外周面、保護層の内面（もしくはシース層の表面）やケーブル束の形状等に追従して変形出来るので、外周上に突起部や膨出部を形成することがなく、設置面への馴染み性も良い。
【００２１】
また、本発明に係る可撓性を有するデータキャリア構造体の製造方法は、アンテナコイルと制御部とを有するデータキャリアの両面に２枚の樹脂シートをラミネート加工して可撓性を有するデータキャリアユニットを複数形成し、樹脂テープの長さ方向に沿って前記各データキャリアユニットを所定間隔で配置して各データキャリアユニットの前記樹脂シートをそれぞれ前記樹脂テープにスポット溶着することを特徴とする。
【００２２】
上記製造方法によれば、上記データキャリア構造体を効率良く製造出来る。またデータキャリアユニットをスポット溶着で樹脂テープに固定するので、ＩＣ（Integrated Circuit）チップ等に熱損傷や機械的損傷を与えるおそれが極めて小さい。
【００２３】
また、前記スポット溶着は、超音波溶着または高周波溶着で実施することが出来る。
【００２４】
また、本発明に係る長尺体のデータキャリア設置構造は、長尺体に複数のデータキャリアが所定間隔で設置された構造において、前記長尺体に沿って前述の可撓性を有するデータキャリア構造体が設置されていることを特徴とする。
【００２５】
上記長尺体のデータキャリア設置構造によれば、長尺体に沿って前述の可撓性を有するデータキャリア構造体を設置しているので、情報管理に適した設置間隔に正確に設定出来るので長尺体の情報管理効率が向上する。また設置されるデータキャリア構造体は可撓性であるため、長尺体の形状に合わせて変形出来るので、その外周上に突起部や膨出部を形成することがなく、また設置面への馴染み性が良い。
【００２６】
前記長尺体をケーブルまたは配管とすることが出来る。
【発明の効果】
【００２７】
本発明は、上述の如き構成と作用とを有するので、ケーブルや配管等の長尺体に沿って効率良く且つ正確な間隔で多数のデータキャリアを設置出来る新しいデータキャリア構造体を提供することが出来、更にそのデータキャリア構造体の効率的な製造方法を提供することが出来、更に前記データキャリア構造体の長尺体への設置構造を提供することが出来る。
【発明を実施するための最良の形態】
【００２８】
図により本発明に係る可撓性を有するデータキャリア構造体、及びその製造方法、並びにその可撓性を有するデータキャリア構造体が設置された長尺体のデータキャリア設置構造の一実施形態を具体的に説明する。
【００２９】
図１（ａ），（ｂ）は本発明に係る可撓性を有するデータキャリア構造体を構成するデータキャリアの模式的な平面図及び側面図、図２（ａ），（ｂ）は図１のデータキャリアを可撓性のある細長い樹脂テープ上に所定間隔で固定して構成したデータキャリア構造体の模式的な平面図及び側面図、図３（ａ）〜（ｃ）は本発明に係る可撓性を有するデータキャリア構造体を長尺体としての光ケーブルに設置する製造工程を説明する図である。
【００３０】
図２に示すような長尺状で可撓性を有するデータキャリア構造体１を構成する可撓性を有するデータキャリアユニット２は、図１に示すように、空芯円形で超薄型のアンテナコイル10に微小なＩＣチップで構成した制御部11をリードワイヤ10ａで接続し、それらアンテナコイル10と制御部11を有するデータキャリア６を図１に示すように平面的に配置し、その表面と裏面の両面に可撓性を有する２枚の樹脂シート３をラミネート加工して製造される。
【００３１】
樹脂シート３としては、ポリエチレン、ポリプロピレン、ビニル樹脂等のポリオレフィン系樹脂、ポリスチレン、ＡＳ樹脂（ACRYLONITRILE（アクリロニトリル)、STYRENE（スチレン)の２種類からなる共重合体），ＡＢＳ樹脂（ACRYLONITRILE(アクリロニトリル)、BUTADIENE(ブタジエン)、STYRENE(スチレン)の３種類からなる共重合体）等のスチレン系樹脂、ポリアミド等の可撓性を有する透明、半透明、不透明等の各種シートが使用出来る。
【００３２】
２枚の樹脂シート３のラミネート加工は、データキャリア６のアンテナコイル10の外側をリング状に加熱圧着することにより行われる。尚、加熱圧着方法は周知技術を採用出来る。データキャリア６の縦横の寸法は、通常、１５mm×１５mm〜５０mm×５０mm程度、厚さは０．２mm〜０．６mm程度である。
【００３３】
図２（ａ），（ｂ）は、図１に示すデータキャリアユニット２を可撓性のある細長い樹脂テープ４上にその長さ方向に沿って所定間隔で複数配置して固定した可撓性を有するデータキャリア構造体１を示す。
【００３４】
このデータキャリア構造体１は、可撓性を有する複数のデータキャリアユニット２を所定間隔で樹脂テープ４の上に配列し、各データキャリアユニット２の樹脂シート３の４隅をスポット溶着５により固定して製造される。
【００３５】
使用する樹脂テープ４は、前述したデータキャリアユニット２を構成する樹脂シート３と同じ種類のものを適宜選択して使用出来るが、樹脂シート３と樹脂テープ４とを同種の材料で構成することが好ましい。また樹脂テープ４の厚さは０．０３mm〜０．２０mm程度が好ましい。尚、このデータキャリア構造体１の厚さは、図２（ｂ）に示すように、データキャリアユニット２の厚さに樹脂テープ４の厚さを加えた値になる。
【００３６】
このようなデータキャリア構造体１を連続的に製造するには、巻回した樹脂テープ４をベルトコンベア等の搬送手段上に繰り出し、途中に設けたデータキャリア供給手段から所定間隔でデータキャリアユニット２を搬送中の樹脂テープ４上に供給し、スポット溶着手段で次々と溶着する方法が採用出来る。このようなスポット溶着５には超音波溶着や高周波溶着等の周知の技術を採用出来る。
【００３７】
固定されるデータキャリア６の相互の間隔は例えば適用する長尺体の情報管理方法に合わせて任意に設定することが出来るが、通常は５０cm〜１００cm程度が管理し易い。データキャリアユニット２の間隔をあまり密にすると、データキャリア６が多数必要になって不経済であり、データキャリアユニット２の間隔をあまり疎にすると通信可能な位置を探すのが困難になる場合がある。また樹脂テープ４の幅はデータキャリア６の幅寸法の１．１倍〜１．５倍程度に設定することが望ましい。
【００３８】
各データキャリアユニット２は可撓性を有し更に細長い樹脂テープ４も可撓性を有するので、データキャリア構造体１は全体として可撓性を有する。そのためデータキャリア構造体１は製造の最終段階で巻回形態とし、その巻回形態で出荷、運搬、保管及び使用に供することが出来る。
【００３９】
図３は本発明のデータキャリア構造体１を長尺体の一例として光ケーブル７に設置する場合の一例を示す図である。図３（ａ）に示すように、光ケーブル７は複数本の光（オプティカル）ファイバー８束の周囲が樹脂製のシース層９で覆われている。
【００４０】
そして、図３（ｂ）に示すように、図２に示した可撓性を有する長尺状のデータキャリア構造体１を光ケーブル７のシース層９の外周面に沿ってその長手方向に配置して貼着する。データキャリア構造体１はシース層９に沿って円弧状に変形した状態で延長し、ケーブル形状に良好に馴染んだ状態で設置される。従ってケーブル外側に突起部や膨出部は形成されない。
【００４１】
更に図３（ｃ）に示すように、その外側を樹脂製の保護管12により覆ってデータキャリア６付き光ケーブル７を構成する。
【００４２】
前記実施形態では、長尺体として光ケーブル７を用いた場合の一例について説明したが、本発明のデータキャリア構造体１は光ケーブル７の他に、銅線やアルミニウム導線をシース層９や保護層12で覆った電気ケーブル、または上下水道配管、ガス配管、種々の工業用配管等で情報管理を必要とするあらゆる長尺体に適用出来る。
【産業上の利用可能性】
【００４３】
本発明の活用例として、アンテナコイルと制御部とを有するデータキャリアを複数配列して形成したデータキャリア構造体とその製造方法及び長尺体へのデータキャリア設置構造に活用出来、例えば、光ケーブル、銅線やアルミニウム導線等の電気ケーブル、更には上下水道配管、ガス配管、種々の工業用配管等で情報管理を必要とするあらゆる長尺体に適用出来る。
【図面の簡単な説明】
【００４４】
【図１】（ａ），（ｂ）は本発明に係る可撓性を有するデータキャリア構造体を構成するデータキャリアの模式的な平面図及び側面図である。
【図２】（ａ），（ｂ）は図１のデータキャリアを可撓性のある細長い樹脂テープ上に所定間隔で固定して構成したデータキャリア構造体の模式的な平面図及び側面図である。
【図３】（ａ）〜（ｃ）は本発明に係る可撓性を有するデータキャリア構造体を長尺体としての光ケーブルに設置する製造工程を説明する図である。
【図４】データキャリアの模式的構成図である。
【図５】データキャリアの制御部のブロック図である。
【符号の説明】
【００４５】
１…データキャリア構造体
２…データキャリアユニット
３…樹脂シート
４…樹脂テープ
５…スポット溶着
６…データキャリア
７…光ケーブル
８…光ファイバー
９…シース層
10…アンテナコイル
10ａ…リードワイヤ
11…制御部
12…保護管
15…送受信部
16…コンデンサ
17…ＣＰＵ
18…記憶部
【図１】
2005078400.tif 000003
【図２】
2005078400.tif 000004
【図３】
2005078400.tif 000005
【図４】
2005078400.tif 000006
【図５】
2005078400.tif 000007